(57)【特許請求の範囲】
【請求項１】
映像を生成する映像生成部と、
色信号又はフレームレートのどちらを優先させた伝送を行うかを特定された特定情報を映像受信機器から受信する受信部と、
前記映像生成部が生成した映像を、色信号又はフレームレートのいずれかを前記特定情報に応じて優先させた映像に変換する変換部と、
変換された前記映像を、第１、第２及び第３の伝送チャネルを有するデジタルインターフェースを介して前記映像受信機器へ出力する出力部であって、前記フレームレートを優先させる場合、映像の４画素につき４つの輝度情報と２つの色差情報を有する４：２：０フォーマットの映像を、前記２つの色差情報を第１の伝送チャネルのみに割り当て、前記４つの輝度情報を前記第２及び前記第３の伝送チャネルのみに割り当てて、２つの輝度情報と１つの色差情報とを同一のクロックタイミングで出力する出力部と、
を有する映像送信機器。
【請求項２】
前記受信部は、
４：２：２  ３０Ｈｚモード、４：２：０  ６０Ｈｚモード及び４：４：４  ３０Ｈｚモードのいずれかを特定する特定情報を受信する請求項１に記載の映像送信機器。
【請求項３】
前記変換部は、
前記映像生成部が生成する映像の属性を示すコンテンツ情報及び前記特定情報に応じて、前記映像生成部が生成した映像を、色信号又はフレームレートのいずれかを優先させた映像に変換する請求項１に記載の映像送信機器。
【請求項４】
前記コンテンツ情報は、
前記映像生成部が生成する映像のジャンル、解像度及び前記映像生成部が映像を再生により生成する媒体の種類の少なくともいずれかである請求項３に記載の映像送信機器。
【請求項５】
前記受信部が前記特定情報を受信する前に、前記コンテンツ情報を前記映像受信機器へ送信する送信部を更に有する
請求項３に記載の映像送信機器。
【請求項６】
前記出力部は、前記映像受信機器に対して映像を一方向に伝送し、
前記受信部は、コマンドを双方向で送受する双方向通信部に含まれるように構成された、
請求項１に記載の映像送信機器。
【請求項７】
前記出力部は、
ＨＤＭＩに準拠しており、
前記受信部は、
ＣＥＣコマンド又はＣＥＣコマンド群に含まれる前記特定情報を受信する
請求項１に記載の映像送信機器。
【請求項８】
選択肢から選択されることによって色信号又はフレームレートのどちらを優先させた伝送を行うかを特定された特定情報を記憶する記憶部、及び前記特定情報を示す入力を受入れる入力部の少なくともいずれかと、
前記特定情報を映像送信機器へ送信する送信部と、
前記特定情報に応じて前記映像送信機器が伝送したＴＭＤＳ符号化映像を第１、第２及び第３の伝送チャネルを有するデジタルインターフェースを介して受信する映像受信部と、
受信された前記ＴＭＤＳ符号化映像をデコードするＴＭＤＳデコード部と、
を有し、
前記映像受信部は、前記送信部がフレームレートを優先させる前記特定情報を送信した場合、４画素につき４つの輝度情報と２つの色差情報を有する４：２：０フォーマットの映像をＴＭＤＳエンコードした前記ＴＭＤＳ符号化映像を、前記２つの色差情報が第１の伝送チャネルのみに割り当てられ、前記４つの輝度情報が前記第２及び前記第３の伝送チャネルのみに割り当てられ、２つの輝度情報と１つの色差情報とが同一のクロックタイミングに位置した状態で受信する、
映像受信機器。
【請求項９】
前記映像受信部が映像を受信する前に、前記特定情報を表示する表示部と、
前記表示部が前記特定情報を表示した後に、前記送信部が前記映像送信機器へ送信する前記特定情報を決定するよう制御する制御部と、
をさらに有し、
前記送信部は、
前記制御部が決定した前記特定情報を送信する
請求項８に記載の映像受信機器。
【請求項１０】
前記送信部及び前記映像受信部は、
ＨＤＭＩに準拠しており、
前記送信部は、
ＣＥＣコマンド又はＣＥＣコマンド群に含まれる前記特定情報を送信する
請求項８に記載の映像受信機器。
【発明の詳細な説明】
【技術分野】
【０００１】
本発明の実施形態は、映像送信機器及び映像受信機器に関する。
【背景技術】
【０００２】
ブルーレイディスク（Blu-ray  Disc）プレーヤ、ＤＶＤ（Digital  Versatile  Disk）プレーヤ、セットトップボックス等の映像送信機器とＴＶ受像機・モニタ等の映像受信機器との間のマルチメディアインタフェースの一例としてＨＤＭＩ（High  Definition  Multimedia  Interface）規格がある。ＨＤＭＩ出力端子を有する機器をソース機器と称し、ＨＤＭＩ入力端子を有する機器をシンク機器と称する。映像送信機器はソース機器であり、映像受信機器はシンク機器である。
【０００３】
ＨＤＭＩ規格に準拠した通信を行うＨＤＭＩ通信機器では、映像、音声、補助情報を伝送するＴＭＤＳ（Transition  Minimized  Differential  Signaling）伝送部と、ソース機器をシンク機器に接続した場合、ソースレディ信号として接続したことをシンク機器に知らせるための＋５Ｖ電源信号伝送部と、シンク機器において映像情報の受信準備が整ったことを示すシンクレディ信号としてのＨＰＤ（Hot  Plug  Detect）信号を伝送するＨＰＤ信号伝送部と、接続されたシンク機器の製品情報や適合する映像フォーマット等のデータであるＥＤＩＤ（Extended  Display  Identification  Data）を伝送するＥＤＩＤ伝送部と、シンク機器の認証を行うＨＤＣＰ（High-bandwidth  Digital  Content  Protection）認証部と、装置制御信号と制御プロトコルであるＣＥＣ（Consumer  Electronics  Control）を伝送するＣＥＣ伝送部とを有している。ＥＤＩＤ伝送部は、ＤＤＣ（Display  Data  Channel）を介してＥＤＩＤを伝送する送信部としての機能を有する。
【０００４】
従来、映像送信機器から映像受信機器へ映像コンテンツを伝送する場合、伝送される映像コンテンツの画質やフレームレートなどは、映像送信機器において設定されている。また、ＥＤＩＤにより、映像受信機器の機能を映像送信機器に送信することは公知である。
【先行技術文献】
【特許文献】
【０００５】
【特許文献１】特開２０１０−１９３２４７号公報
【特許文献２】特開２００９−１３５７２６号公報
【発明の概要】
【発明が解決しようとする課題】
【０００６】
しかしながら、従来技術においては、伝送路の帯域制限がある場合などのように、映像送信機器が出力可能な映像の全てのフレームの全ての色信号を映像受信機器へ伝送できない場合などに、色信号又はフレームレートのどちらを優先させた伝送を行うかを映像受信機器において設定することができないという問題があった。本発明が解決しようとする課題は、色信号又はフレームレートのどちらを優先させた伝送を行うかを映像受信機器において設定可能にすることができる映像送信機器及び映像受信機器を提供することである。
【課題を解決するための手段】
【０００７】
実施形態の映像送信機器は、映像生成部と、受信部と、変換部と、出力部とを具備する。映像生成部は、映像を生成する。受信部は、色信号又はフレームレートのどちらを優先させた伝送を行うかを特定された特定情報を映像受信機器から受信する。映像生成部が生成した映像を、色信号又はフレームレートのいずれかを特定情報に応じて優先させた映像に変換する。出力部は、変換された映像を、第１、第２及び第３の伝送チャネルを有するデジタルインターフェースを介して映像受信機器へ出力する。この出力部は、また、フレームレートを優先させる場合、映像の４画素につき４つの輝度情報と２つの色差情報を有する４：２：０フォーマットの映像を、２つの色差情報を第１の伝送チャネルのみに割り当て、４つの輝度情報を第２及び第３の伝送チャネルのみに割り当てて、２つの輝度情報と１つの色差情報とを同一のクロックタイミングで出力する。
【図面の簡単な説明】
【０００８】
【図１】実施形態にかかる映像受信機器及び映像送信機器の接続例を示す外観図。
【図２】実施形態にかかる映像受信機器及び映像送信機器の構成を示すブロック図。
【図３】実施形態にかかる映像受信機器の第１通信部と、映像送信機器の第２通信部の構成を示すブロック図。
【図４】フォーマットが４：２：０である６０ｆｐｓの映像データのフォーマット形式、及び差動アンプからＣＨ０〜ＣＨ２に出力される差動信号の形式例を示す図。
【図５】実施形態にかかる映像送信機器が映像受信機器へ映像を送信する動作を示すシーケンス図。
【図６】実施形態の表示部が表示する画面例。
【図７】実施形態の表示部が表示する画面の第２例。
【図８】実施形態の表示部が表示する画面の第３例。
【発明を実施するための形態】
【０００９】
以下に添付図面を参照して、映像受信機器及び映像送信機器の実施の形態を詳細に説明する。図１は、実施形態にかかる映像受信機器１０及び映像送信機器２０の接続例を示す外観図である。図１に示すように、映像受信機器１０は、例えばＨＤＭＩケーブル３０を介して映像送信機器２０に接続される。
【００１０】
映像受信機器１０は、例えば４Ｋ解像度（４Ｋ２Ｋ）のデジタルテレビである。具体的には、映像受信機器１０の解像度は、４Ｋ（4096×2160）、又はＦＨＤ（フルＨＤ：1920×1080）の４倍の画素数のＱＦＨＤ（クアッド・フルＨＤ：3840×2160）である。また、映像受信機器１０は、ＨＤＭＩの規格に準拠しており、ＨＤＭＩ入力端子を備えたシンク機器と称される。また、映像受信機器１０は、リモコン４０を介して入力される信号にも応じて動作する。
【００１１】
映像送信機器２０は、例えば４Ｋ解像度の映像を生成して送信する。また、映像送信機器２０は、ＨＤＭＩの規格に準拠しており、ＨＤＭＩ出力端子を備えたソース機器と称される。また、映像送信機器２０は、ブルーレイディスク（Blu-ray  Disc：ＢＤ）などの媒体に記録された映像を再生し、ＨＤＭＩケーブル３０を介して映像受信機器１０へ映像を送信する。
【００１２】
また、映像送信機器２０は、色信号又はフレームレートのどちらを優先させた伝送を行うかを特定する特定情報を映像受信機器１０から受信し、再生などにより生成した映像を、色信号又はフレームレートのいずれかを特定情報に応じて優先させた映像に変換して映像受信機器１０へ伝送する機能を有する。なお、特定情報は、映像送信機器２０が映像受信機器１０に対して伝送する映像のフォーマット（Ｙ，Ｃｂ，Ｃｒ）とフレームレートの組合せを一意に特定する情報である。例えば、特定情報は、映像のフォーマットとフレームレートの組合せごとに対応付けられた固有のコード値などである。例えば、コード値“１”及び“０”を、映像のフォーマットが４：２：０で６０ｆｐｓのフレームレートの組合せ、及び、映像のフォーマットが４：４：４で３０ｆｐｓのフレームレートの組合せ、にそれぞれ対応付けた特定情報を用いることができる。また、例えば、「美しさ優先」及び「動き優先」などのユーザの嗜好を表す情報を特定情報としてもよい。映像送信機器２０は、変換テーブルなどを用いて、受信した特定情報を対応する設定情報に変換する。設定情報とは、映像送信機器２０が映像受信機器１０に対して伝送する映像のフォーマット（Ｙ，Ｃｂ，Ｃｒ）を示す値と、フレームレートを示す値との組合せからなる情報である。映像送信機器２０が、設定情報自体を映像受信機器１０から受信し、受信した設定情報に従って映像のフォーマット及びフレームレートを設定するように構成されてもよい。そして、色信号又はフレームレートのどちらを優先させた映像の伝送をユーザが希望しているかを示す情報が映像受信機器１０を介して映像送信機器２０へ送信されると、映像送信機器２０は、ユーザの希望に応じて色信号又はフレームレートのどちらかを優先させた映像を映像受信機器１０へ送信する。また、映像受信機器１０は、映像送信機器２０が送信した映像を受信して表示することも可能である。また、映像送信機器２０は、色信号であるＹ，Ｃｂ，Ｃｒと、フレームレートとの組合せからなる４：２：２  ３０Ｈｚモード、４：２：０  ６０Ｈｚモード及び４：４：４  ３０Ｈｚモードの少なくとも２つ以上の動作モードの映像をＨＤＭＩケーブル３０に対して出力する。
【００１３】
図２は、映像受信機器１０及び映像送信機器２０の構成例を概略的に示すブロック図である。図２に示すように、映像受信機器１０は、テレビ機能部１１０、第１通信部１００、記憶部１３０、セレクタ１２、表示部１１、表示駆動部１３、スピーカー１４Ａ，１４Ｂ、音声駆動部１５、制御部１８及び入力部１０Ｂを有する。テレビ機能部１１０は、テレビジョン放送信号を受信する。第１通信部１００は、ＨＤＭＩ規格に準拠したデジタル映像信号を受信する通信装置である。記憶部１３０は、設定情報を送信した履歴である設定履歴、又は特定情報を選択した履歴である選択履歴を記憶する。セレクタ１２は、テレビ機能部１１０及び第１通信部１００の出力を選択する。表示駆動部１３は、セレクタ１２が出力する映像信号に基づいて表示部１１に映像を表示させる。音声駆動部１５は、セレクタ１２が出力する音声信号に基づいてスピーカー１４Ａ，１４Ｂに音声を出力させる。制御部１８は、映像受信機器１０の各部を制御する。入力部１０Ｂは、映像受信機器１０に対する設定などの入力を受入れる。
【００１４】
ここで、記憶部１３０が記憶する設定履歴とは、例えば映像のジャンル毎に、色信号又はフレームレートのいずれを優先させ映像をユーザが好んで設定したかを対応付けたデータである。具体的には、動きが激しいスポーツなどのジャンルの映像に対して、ユーザが例えばフレームレートを優先させた映像（例えば４：２：０  ６０Ｈｚモードの映像）が伝送されるように設定した履歴を示すデータや、２４ｆｐｓのＢＤの映画に対して、ユーザが例えば色信号を優先させた映像（例えば４：４：４  ３０Ｈｚモードの映像）が伝送されるように設定した履歴を示すデータが設定履歴である。また、記憶部１３０は、設定履歴を記憶する代わりに、映像のジャンル毎などに、色信号又はフレームレートのいずれを優先させた映像をユーザが設定したかを特定する特定情報を記憶するように構成されてもよい。また、特定情報は、選択肢から選択されることによって色信号又はフレームレートのどちらを優先させた伝送を行うかを特定された情報であってもよい。
【００１５】
テレビ機能部１１０は、ＴＶ（Television）入力端子１１１にアンテナ線５０を介して接続されるアンテナ１１２によってテレビジョン放送信号を受信し、所定のチャンネルの信号を抽出するチューナ部１１３と、チューナ部１１３が出力する受信信号を受入れて映像信号Ｖ１及び音声信号Ａ１に復元する信号処理部１１４とを有する。
【００１６】
第１通信部１００は、コネクタ１２１にＨＤＭＩケーブル３０を介して接続される映像送信機器２０の第２通信部２００から受信したＨＤＭＩ規格のデジタル映像信号を映像成分と音声成分とに分離し、映像信号Ｖ２と、音声信号Ａ２として出力する。また、第１通信部１００は、第２通信部２００との間で通信可能なＭＣ（マイクロコンピュータ）１５０を有する。
【００１７】
セレクタ１２は、テレビ機能部１１０から出力された映像信号Ｖ１及び音声信号Ａ１と第１通信部１００から出力された映像信号Ｖ２及び音声信号Ａ２とを選択的に切り替えて表示駆動部１３及び音声駆動部１５に出力する機能を有する。
【００１８】
映像送信機器２０は、コネクタ２０１に接続されるＨＤＭＩケーブル３０を介して映像受信機器１０の第１通信部１００と接続される通信装置である第２通信部２００と、ブルーレイディスク等の記録媒体２０２に対する記録及び再生を行う記録再生部２０３と、記録再生部２０３から供給されるエンコードデータを、ベースバンドの映像信号と音声信号にＭＰＥＧデコードし、そのベースバンドの映像信号と音声信号を、第２通信部２００に供給するコーデック２０４とを有する。つまり、記録媒体２０２、記録再生部２０３及びコーデック２０４は、映像を生成する映像生成部を構成する。また、記録再生部２０３は、コーデック２０４から出力されるエンコードデータや、第２通信部２００から出力されるエンコードデータを記録することも可能である。
【００１９】
第２通信部２００は、第１通信部１００との間で通信可能なＭＣ（マイクロコンピュータ）２５０を有している。
【００２０】
図３は、映像受信機器１０の第１通信部１００と、映像送信機器２０の第２通信部２００の構成例を示すブロック図である。第２通信部２００は、ＭＣ（マイクロコンピュータ）２５０及びＴＭＤＳエンコーダ（伝送部）２５２を有する。また、ＭＣ２５０は、双方向通信部２５４を有する。双方向通信部２５４は、特定情報を映像受信機器１０から受信する受信部としての機能と、受信部が特定情報を受信する前などにコンテンツ情報を映像受信機器１０へ送信する送信部としての機能を有する。双方向通信部２５４は、ＭＣ２５０に含まれていてもよいし、独立して設けられてもよい。第１通信部１００は、ＭＣ（マイクロコンピュータ）１５０、ＴＭＤＳデコーダ（映像受信部）１５２及びＥＤＩＤ記憶部１５４を有する。ＭＣ１５０は、特定情報を映像送信機器２０へ送信する送信部としての機能を有する。
【００２１】
ＴＭＤＳエンコーダ２５２には、記録媒体２０２、記録再生部２０３及びコーデック２０４が生成した映像である一例をあげるとＲＧＢ各８ビットの映像データが入力される。そしてＴＭＤＳエンコーダ２５２は、入力された映像データを、色信号又はフレームレートのいずれかを特定情報に応じて優先させた映像データ（映像）に変換し、変換により生成したピクセルクロックを出力する。例えば、ＴＭＤＳエンコーダ２５２は、特定情報がコード値“１”である場合、入力された映像データを、フォーマットが４：２：０である６０ｆｐｓの映像データに変換する。そして図示しない差動アンプが、ＴＭＤＳエンコーダ２５２から出力されたピクセルクロックを差動信号に変換し、ＨＤＭＩケーブル３０のＣＨ０〜ＣＨ２の伝送ラインに出力する。なお、差動アンプはＣＨ０〜ＣＨ２の伝送ラインの夫々に対応するように設けられる。そして当該差動信号は、ＣＨ０〜ＣＨ２の伝送ラインを介して第１通信部１００に伝送される。なお、ＴＭＤＳエンコーダ２５２は、コンテンツ情報に応じて映像データを変換するように構成されてもよい。例えば、ＴＭＤＳエンコーダ２５２は、２４ｆｐｓの映画コンテンツに対しては、色信号を優先する変換をするように予め定められてもよい。
【００２２】
第１通信部１００には、ＣＨ０〜ＣＨ２の夫々に対して差動アンプ（不図示）が設けられている。そして当該差動アンプは、ＣＨ０〜ＣＨ２からの差動信号を受信すると、当該差動信号をデータに変換してＴＭＤＳデコーダ１５２に出力する。そしてＴＭＤＳデコーダ１５２は、これらデータをＲＧＢ各８ビットの映像データに復号し、セレクタ１２に対して出力する。
【００２３】
映像送信機器２０のＭＣ２５０は、ＣＥＣ線及びＨＰＤ線によって映像受信機器１０のＭＣ１５０に接続される。そして、ＭＣ２５０及びＭＣ１５０は、機器間の相互制御を行うための情報をＣＥＣ線を介して伝送する。ＣＥＣ線は、特定情報を含むＣＥＣコマンド及びＣＥＣコマンド群などを双方向に伝送する。また、ＭＣ２５０は、ＨＰＤ線を介して、映像受信機器１０の電源投入完了に応じた信号伝送準備完了を映像送信機器２０に通知する。ＭＣ２５０の双方向通信部２５４は、ＤＤＣ線を介して映像受信機器１０のＥＤＩＤ記憶部１５４と接続される。そして双方向通信部２５４は、ＥＤＩＤ記憶部１５４からＥＤＩＤを読み出す。なお、ＥＤＩＤは、映像受信機器１０が利用可能なフォーマットなどを含んでおり、映像受信機器１０のケーパビリティ（Capability）を示すデータとなっている。
【００２４】
図４は、フォーマットが４：２：０である６０ｆｐｓの映像データのフォーマット形式、及び差動アンプからＣＨ０〜ＣＨ２に出力される差動信号の形式例を示す図である。
図４（Ａ）は、3840×2160ピクセルの４：２：０フォーマットの映像のフォーマット形式例を示す。ここで、輝度情報Ｙ００は、画素Ｐ１の輝度情報を示す。第１色差情報Ｃｂ００は、画素Ｐ１、当該画素Ｐ１に隣接する画素Ｐ２、画素Ｐ１及びＰ２に対して下方向で隣接する画素Ｐ５及びＰ６の４画素についての色差Ｃｂを示す。なお第１色差情報Ｃｂ００は、画素Ｐ１のみについての色差Ｃｂを示すものであっても良い。第２色差情報Ｃｒ１０は、画素Ｐ５、当該画素Ｐ５に隣接する画素Ｐ６、画素Ｐ５及びＰ６に対して上方向で隣接する画素Ｐ１及びＰ２の４画素についての色差Ｃｒを示す。なお第２色差情報Ｃｒ１０は、画素Ｐ５のみについての色差Ｃｒを示すものであっても良い。そして輝度情報Ｙ０１は画素Ｐ２の、輝度情報Ｙ１０は画素Ｐ５の、輝度情報Ｙ１１は画素Ｐ６の輝度を示す。
【００２５】
同様に、輝度情報Ｙ０２は、画素Ｐ３の輝度を示す。第１色差情報Ｃｂ０２は、画素Ｐ３、当該画素Ｐ３に隣接する画素Ｐ４、画素Ｐ３及びＰ４に対して下方向で隣接する画素Ｐ７及びＰ８の４画素についての色差Ｃｂを示す。なお第１色差情報Ｃｂ０２は、画素Ｐ３のみについての色差Ｃｂを示すものであっても良い。第２色差情報Ｃｒ１２は、画素Ｐ７、当該画素Ｐ７に隣接する画素Ｐ８、画素Ｐ７及びＰ８に対して上方向で隣接する画素Ｐ３及びＰ４の４画素についての色差Ｃｒを示す。なお第２色差情報Ｃｒ１２は、画素Ｐ７のみについての色差Ｃｒを示すものであっても良い。そして輝度情報Ｙ０３は画素Ｐ４の、輝度情報Ｙ１２は画素Ｐ７の、輝度情報Ｙ１３は画素Ｐ８の輝度を示す。
【００２６】
図４（Ｂ）は、図示しない差動アンプからＨＤＭＩケーブル３０のＣＨ０〜ＣＨ２の伝送ラインに出力する信号の例を示す図である。第２送信部２００は、図４（Ａ）のフォーマットのデータのうち輝度成分ＹをＣＨ０〜ＣＨ２の伝送ラインのうち２ラインを用いて出力し、色差成分ＣｂＣｒを１チャンネルに纏めて出力する。即ち図４（Ｂ）の例において第２送信部２００は、第１色差情報Ｃｂ００と輝度情報Ｙ００と輝度情報Ｙ１０とを同一のクロックタイミングで出力し、第２色差情報Ｃｒ１０と輝度情報Ｙ０１と輝度情報Ｙ１１とを同一のクロックタイミングで出力する。そして第２送信部２００は、その後も同様に、第１又は第２色差情報と二つのピクセルの輝度情報とを同一のクロックタイミングで出力する。
【００２７】
次に、映像送信機器２０が映像受信機器１０へ映像を送信する動作について説明する。図５は、映像送信機器２０が映像受信機器１０へ映像（ＡＶストリーム）を送信する動作の一例を示すシーケンス図である。映像送信機器２０は、映像受信機器１０が接続されたことを認識すると、ステップ１００（Ｓ１００）に示すように映像受信機器１０のケーパビリティを問い合わせる。
【００２８】
ステップ１０２（Ｓ１０２）において、映像受信機器１０は、映像送信機器２０に対してケーパビリティ情報（ＥＤＩＤ等）を送信する応答を行う。
【００２９】
ステップ１０４（Ｓ１０４）において、映像送信機器２０は、映像受信機器１０のケーパビリティに応じて映像受信機器１０（シンク側）に対して映像伝送を開始するための初期設定を指示する。
【００３０】
ステップ１０６（Ｓ１０６）において、映像受信機器１０は、指示された設定が完了したことを示すデータを映像送信機器２０に対して送信する。なお、Ｓ１０６の処理は、省略されてもよい。
【００３１】
ステップ１０８（Ｓ１０８）において、映像送信機器２０は、映像受信機器１０に対して送信しようとしている映像の属性を示すコンテンツ情報を映像受信機器１０に対して送信する。ここで、コンテンツ情報には、例えば映像送信機器２０が出力する映像のジャンル、解像度、及び記録再生部２０３が映像を再生する媒体の種類などが含まれる。また、映像送信機器２０から映像受信機器１０へ伝送される映像について、色信号又はフレームレートのいずれを優先させた映像にしたいかを、ユーザの嗜好に応じてユーザが容易に判断することができる情報がコンテンツ情報に含まれていてもよい。
【００３２】
ステップ１１０（Ｓ１１０）において、映像受信機器１０は、Ｓ１０８の処理で送信されたコンテンツ情報に対応する特定情報を映像送信機器２０に対して送信する。例えば、動きが激しい映像コンテンツにはフレームレートを優先する特定情報が対応し、動きが少ない映像コンテンツには色信号を優先する特定情報が対応する。また、映像受信機器１０は、例えば記憶部１３０が記憶している選択履歴に含まれる特定情報からコンテンツ情報に対応する特定情報を選択し、選択した特定情報がユーザの嗜好を反映させた情報であるとして、選択した特定情報を映像送信機器２０へ送信してもよい。
【００３３】
ステップ１１２（Ｓ１１２）において、映像送信機器２０は、Ｓ１１０の処理で送信された特定情報に応じて第２通信部２００が色信号又はフレームレートのいずれかを優先させるように変換した映像（ＡＶストリーム）を映像受信機器１０に対して送信する。
【００３４】
ステップ１１４（Ｓ１１４）において、映像受信機器１０は、例えばリモコン４０を介して受入れるユーザからの入力に応じて、映像送信機器２０から送信される映像が色信号又はフレームレートのどちらを優先させるべきであるかを新たに選択する。
【００３５】
図６は、映像受信機器１０が色信号又はフレームレートのどちらを優先させた映像が送信されるべきであるかを選択する場合に、表示部１１が表示する画面（ユーザインターフェイス）例である。図６に示した画面は、例えばリモコン４０を介して受入れたユーザからの入力に応じて表示部１１に表示される。Ｓ１１４の処理において、まず、表示部１１は、画質優先（色信号優先）のプレビュー画像Ａと、フレームレート優先のプレビュー画像Ｂとを並べて表示する。表示部１１に表示される映像のジャンルと、プレビュー画像Ａ，Ｂの比較に応じて、ユーザが「美しさ優先画像」又は「動き優先画像」のいずれかをリモコン４０を介して選択すると、映像受信機器１０は、ユーザの選択に対応するように、映像送信機器２０から送信される映像が色信号又はフレームレートのどちらを優先させるべきであるかを選択する。映像受信機器１０が選択した結果は、特定情報となる。
【００３６】
ステップ１１６（Ｓ１１６：図５）において、映像受信機器１０は、Ｓ１１４の処理で選択した結果を映像の品質設定変更依頼として映像送信機器２０へ送信する。
【００３７】
ステップ１１８（Ｓ１１８）において、映像送信機器２０は、Ｓ１１６の処理で送信された品質設定変更依頼に応じて、色信号又はフレームレートのいずれかを優先させた映像を新たな設定のＡＶストリームとして映像受信機器１０へ送信する。
【００３８】
なお、図５に示した動作例においては、Ｓ１０８の処理で送信されたコンテンツ情報に対応する特定情報を、記憶部１３０が記憶している特定情報から選択して映像受信機器１０が送信する場合を例に説明したが、これに限定されない。
【００３９】
例えば、映像受信機器１０は、Ｓ１０８の処理においてコンテンツ情報が送信されると、図６に示した画面を表示部１１が表示し、ユーザの入力に応じてＳ１１０の処理を行うように構成されてもよい。また、映像受信機器１０は、Ｓ１１０の処理において、特定情報の代わりに設定情報を送信してもよい。また、Ｓ１１０の処理において、映像受信機器１０が上述した特定情報を映像送信機器２０へ送信し、映像送信機器２０が特定情報に応じて映像の色信号又はフレームレートを具体的に設定してもよい。
【００４０】
（表示部１１が表示する他の画面例）
次に、映像受信機器１０が色信号又はフレームレートのどちらを優先させた映像が送信されるべきであるかを選択する場合に、表示部１１が表示する画面の他の例について説明する。図７は、Ｓ１１４（図５）の処理などにおいて、表示部１１が表示する画面の第２例である。図７に示すように、表示部１１は、スポーツなどの動きが激しい映像のジャンル、自然映像などの動きが少なく色信号を優先可能なジャンル、及び写真静止画のジャンルなどの各ジャンル毎に、過去に設定された色信号（Ｙ，Ｃｒ，Ｃｂ）とフレームレートとの組合せを表示し、ユーザの過去の選択履歴に応じてユーザの選択を促すように構成されてもよい。また、表示部１１は、ユーザが視聴しようとしているコンテンツの属性をコンテンツ情報に応じて表示するとともに、選択カーソル（太実線枠）Ｃの配置によって推薦される色信号とフレームレートとの組合せを変更可能に表示するように構成されてもよい。推薦される色信号とフレームレートとの組合せは、例えばユーザの過去の選択履歴、又はコンテンツ情報に応じて決められている。
【００４１】
図８は、Ｓ１１４（図５）の処理などにおいて、表示部１１が表示する画面の第３例である。表示部１１は、例えば色信号を優先して伝送されている映像が、映像コンテンツの内容がフレームレートを優先して伝送されることが好まれる可能性がある映像に切り替わる前に、色信号又はフレームレートのいずれを優先させるかをユーザに選択させる表示を行うように構成されてもよい。
【００４２】
なお、第１通信部１００及び第２通信部２００は、各機能がプログラムなどにより構成されてもよいし、ハードウェアによって構成されてもよい。
【００４３】
以上説明した実施形態によれば、映像送信機器から映像受信機器へ映像を伝送する場合に、色信号又はフレームレートのどちらを優先させた伝送を行うかを映像受信機器において設定可能にすることができる。
【００４４】
また、上記実施形態においては、色信号又はフレームレートのどちらかを優先させ、優先されなかった色信号（色差信号）又はフレームレートに対応するデータは削減される可能性がある場合を例に説明したが、これに限定されない。例えば、伝送されるデータ量がＨＤＭＩケーブル３０による伝送の帯域制限内に収まれば、解像度、画角情報、ＶＩＣ情報、色深度情報、色域などを変更してデータ量を変更してもよい。また、伝送されるデータ量がＨＤＭＩケーブル３０による伝送の帯域制限内に収まれば、超解像をシンク機器で行ってもよい。一連の説明ではＨＤＭＩケーブル３０（Ｄｉｓｐｌａｙ  Ｐｏｒｔ用ケーブルなどでもよい）による有線接続の例を示したが、本発明は、無線接続においても同様である。その場合は、ＨＤＭＩケーブル３０が不要となり、第１通信部１００及び第２通信部２００がそれぞれ無線通信を行う機能を有していればよい。
【００４５】
また、本発明の実施形態を複数の組合せによって説明したが、これらの実施形態は例として提示したものであり、発明の範囲を限定することは意図していない。これら新規の実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１０    映像受信機器
１０Ｂ  入力部
１１    表示部
１８    制御部
２０    映像送信機器
３０    ＨＤＭＩケーブル
４０    リモコン
１００    第１通信部
１３０    記憶部
１５０    ＭＣ
１５２    ＴＭＤＳデコーダ
１５４    ＥＤＩＤ記憶部
２００    第２通信部
２０２    記録媒体
２０３    記録再生部
２０４    コーデック
２５０    ＭＣ
２５２    ＴＭＤＳエンコーダ
２５４    双方向通信部
【図１】
0005390667.tif 000002
【図２】
0005390667.tif 000003
【図３】
0005390667.tif 000004
【図４】
0005390667.tif 000005
【図５】
0005390667.tif 000006
【図６】
0005390667.tif 000007
【図７】
0005390667.tif 000008
【図８】
0005390667.tif 000009